(57)【要約】      （修正有）【課題】粉状化粧料を収容する容器の搬送時、手で持つ際の振動や傾きで粉状化粧料が不用意に飛散しない粉状化粧料容器に関する。【解決手段】軟弾性材料あるいは粘弾性材で構成される仕切り部の伸長方向に交差するよう形成される複数の切れ込みを設けた軟弾性仕切り部４あるいは粘弾性仕切り部５とパラフィン紙やプラスチックフィルム等の伸縮のないフィルムで構成され粉状化粧料１００が軟弾性仕切り部４あるいは粘弾性仕切り部５の外面側へ漏出しないよう添設あるいは粘着されるバージンフィルム７と粉状化粧料１００を取り出す開口部および軟弾性仕切り部４を本体との間で挟持する挟持部９３および前記化粧料収容室１１に係合または嵌合する固定部より構成される仕切り部固定部材９とを有しバージンフィルム７が前記軟弾性仕切り部４の伸縮変形を抑え、切れ込みの開穴を防止し粉状化粧料１００が軟弾性仕切り部４の外面側へ漏出しないようにする。【選択図】図１
2008272304.tif 000002
【特許請求の範囲】
【請求項１】
白粉、パウダーファンデーション等の粉状化粧料を本体内に設けられる有底筒状の化粧料収容室に収納する粉状化粧料容器において、
シリコンゴム等からなる軟弾性材料で構成され、伸長方向に交差するよう形成される複数の切れ込みを設けた軟弾性仕切り部と、
パラフィン紙やプラスチックフィルム等の伸縮のないフィルムで構成され、軟弾性仕切り部に添設されるバージンフィルムと、
粉状化粧料を取り出す開口部および軟弾性仕切り部を前記本体との間で挟持する挟持部
および前記化粧料収容室に係合または嵌合する固定部より構成される仕切り部固定部材を有し、
前記バージンフィルムが前記軟弾性仕切り部の伸縮変形を抑え、切れ込みの開穴を防止し粉状化粧料が軟弾性仕切り部の外面側へ漏出しないようにしたことを特徴とする粉状化粧料容器。
【請求項２】
白粉、パウダーファンデーション等の粉状化粧料を本体内に形成される有底筒状の化粧料収容室に収納する粉状化粧料容器において、
シリコンゴム等からなる粘性を有する粘弾性材料で構成され、伸長方向と交差するよう形成される複数の切れ込みを設けた粘弾性仕切り部と、
パラフィン紙やプラスチックフィルム等の伸縮のないフィルムで構成され、粘弾性仕切り部に粘着されるバージンフィルムと、
粉状化粧料を取り出す開口部および粘弾性仕切り部を前記本体との間で挟持する挟持部および前記有底筒状の本体に係合または嵌合する固定部より構成される仕切り部固定部材とを有し、
前記バージンフィルムが前記粘弾性仕切り部の伸縮変形を抑え、切れ込みの開穴を防止し粉状化粧料が粘弾性仕切り部の外面側へ漏出しないようにしたことを特徴とする粉状化粧料容器。
【請求項３】
軟弾性仕切り部または粘弾性仕切り部の外面外周側に挟持部当接突起が形成され、当該挟持部当接突起がバージンフィルムの位置決め可能にすると共に挟持部に当接し化粧料収納容器を密閉することを特徴とする請求項１、請求項２記載の粉状化粧料容器。
【請求項４】
挟持部が仕切り部固定部材の下面外周側に沿うように環状の仕切り部当接突起を形成し、当該仕切り部当接突起がバージンフィルムの位置決め可能にすると共に前記軟弾性仕切り部あるいは粘弾性仕切り部の外面に当接し化粧料収納容器を密閉することを特徴とする請求項１、請求項２記載の粉状化粧料容器。
【請求項５】
軟弾性仕切り部、粘弾性仕切り部が化粧料収納室の外側部に嵌合する収納室嵌合部を有する有天筒状をなし、化粧料収納室の外側部よりずれないようにすると共に化粧料収納容器を密閉することを特徴とする請求項１、請求項２、請求項３、請求項４記載の粉状化粧料容器。
【請求項６】
バージンフィルムが仕切り部の全ての切れ込みを覆うように形成される被覆部と、
該被覆部の外周に帯状に突出するように形成されるつまみ部からなり、
該つまみ部を被覆部の表面中心側に折り曲げることにより仕切り部固定部材の開口部から除去できるようにしたことを特徴とする請求項１、請求項２、請求項３、請求項４、請求項５記載の粉状化粧料容器。
【請求項７】
バージンフィルムがパラフィン紙等の防湿紙で構成され、被覆部とつまみ部との境界で被覆部につまみ部の幅を延長するよう切れ目を形成し、
つまみ部を上方に引くことによりバージンフィルムを容易に破け、除去できるようにしたことを特徴とする請求項６記載の粉状化粧料容器。
【請求項８】
バージンフィルムの被覆部が、仕切り部固定部材の開口部より小形状であることを特徴とする請求項２記載の粉状化粧料容器。
【発明の詳細な説明】
【技術分野】
【０００１】
本発明は、粉状化粧料を収容する粉状化粧料容器であって粉状化粧料が不用意に飛散することのない粉状化粧料容器に関する。
【背景技術】
【０００２】
従来白粉、パウダーファンデーションなどの粉状化粧料をパウダーパフに取って使用するコンパクト容器等が知られている。コンパクト容器は網状フィルターや複数の粉取り出し穴を設けた仕切り部にパウダーパフを載置してコンパクト容器を傾けるなどしてパウダーパフ等に少量の粉状化粧料を取り出して使用するものである。
【０００３】
そのため網状フィルターや小径の粉取り出し穴を有する仕切り部を設けた粉状化粧料容器では容器を軽く振るまたは傾けるのみで粉状化粧料を仕切り部上に不用意に流出してしまう。こうした不具合をなくすために未開封商品、非使用中の粉状化粧料容器では穴や隙間のない密閉蓋で粉状化粧料の不用意な漏出を防止し、化粧に際し網状フィルターや小径の粉取り出し穴を設けた仕切り部に代えていた。
【０００４】
しかし、繰り返し使用可能な密閉蓋は部品点数が増える上に使用に際し粉状化粧料容器への取り付け取り外しの手間が必要になる。それにもかかわらず密閉蓋の取り付け取り外し操作が必要で密閉蓋の裏面に付着する粉状化粧料のために周囲を汚してしまう。
【０００５】
こうした問題を解決する手段として特許文献１が提案されている。また仕切り部を伸縮させて切れ込みを開閉可能にし、必要時にのみ粉状化粧料を仕切り部上に移動可能にする手段として特許文献２が提案されている。
【０００６】
【特許文献１】特開２００５−１０３１０６号公報
【特許文献２】特開２００５−７０９３号公報
【０００７】
特許文献１はバージンフィルム用のリングを取着したコンパクト容器で、小径の粉取り出し穴を複数設けた仕切り部にアプリケータを戴置収納している。そして出荷する商品に対してコンパクト容器は仕切り部の上面に化粧料の漏洩を防ぐと共に容易に取り除けるバージンフィルムを被覆しパフとの間を遮断している。
【０００８】
特許文献２は仕切り部に化粧料収容室の内外を貫通する複数の切れ込みを設けたものである。仕切り部は軟弾性材料で形成され、軟弾性材料が伸長し切れ込みを開穴する事で粉状化粧料を仕切り部上に移動可能にする
【発明の開示】
【発明が解決しようとする課題】
【０００９】
特許文献１で用いられるバージンフィルムは商品の未開封、未使用を確認すると共に内容物の量、品質を保証する。同時に粉状化粧料の仕切り部からの漏出を防止するものである。
【００１０】
そのため粉状化粧料の仕切り部に使用されている網目や小径穴を有するフィルターはバージン用部材として使用するには不向きである。そこで仕切り部に網目や小径穴を有するフィルターを使用する場合は、出荷搬送に際しバージンフィルムや中蓋形式の漏出防止用カバー等に代え粉状化粧料の漏出を防止していた。そして粉状化粧料の初使い時にバージンフィルムまたは漏出防止用カバーを除去しフィルターを装着し使用していた。
【００１１】
網状フィルターや小径の粉取り出し穴を有する仕切り部を使用する場合、粉状化粧料が粉状化粧料容器や容器周囲に使用の度に散り汚してしまう。こうした不具合がバージンフィルムを剥がした後にも頻繁に生ずる。こうした問題を解決するには再使用可能な漏出防止用カバーを利用することも考えられるが、使用毎に漏出防止用カバーを取り去る操作が必要になり使い勝手が悪くなる上、部品点数も増加してコストアップの要因となっていた。
【００１２】
他方特許文献２で示される軟弾性材料で構成された仕切り部は、外部からの押圧力によって生ずる伸びで切れ込みを開穴するもので、押圧力のない状態では粉状化粧料の漏出を防止する。しかし、コンパクト容器の搬送時の振動等で粉状化粧料が伸縮する仕切り部の内面側にぶつかり粉状化粧料の漏出を完全に防止できる保証はない。
【００１３】
本発明はこのような問題点に鑑みてなされたものでその目的とするところは、粉状化粧料の不用意な漏出を防止すると共にバージンフィルムを取り除くことで仕切り部の伸縮を可能にし、粉状化粧料を仕切り部上に取り出せる粉状化粧料容器を提供しようとするものである。
【課題を解決するための手段】
【００１４】
本発明粉状化粧料容器は、上記目的を達成するため仕切り部が開閉可能な複数の切れ込みを設けた弾性材料で構成される。さらに未使用の粉状化粧料容器を構成する仕切り部の外面にバージンフィルムを添設することで仕切り部の伸縮変形を抑え、切れ込みの開穴を防止するものである。なお、本願において嵌合とは嵌着、緩嵌、螺嵌、咬止をも含むものと解釈する。
【００１５】
すなわちシリコンゴム等からなる軟弾性材料で構成され伸長方向に交差するよう形成される複数の切れ込みを設けた軟弾性仕切り部とパラフィン紙やプラスチックフィルム等の伸縮のないフィルムで構成され軟弾性仕切り部に添設されるバージンフィルムと粉状化粧料を取り出す開口部および軟弾性仕切り部を前記本体との間で挟持する挟持部および化粧料収容室に係合または嵌合する固定部より構成される仕切り部固定部材とを有しバージンフィルムが前記軟弾性仕切り部の伸縮変形を抑え切れ込みの開穴を防止し粉状化粧料が軟弾性仕切り部の外面側へ漏出しないようにするものである。
【００１６】
またシリコンゴム等からなる粘性を有する粘弾性材料で構成され伸長方向と交差するよう形成される複数の切れ込みを設けた粘弾性仕切り部とパラフィン紙やプラスチックフィルム等の伸縮のないフィルムで構成され粘弾性仕切り部に粘着されるバージンフィルムと粉状化粧料を取り出す開口部および粘弾性仕切り部を前記本体との間で挟持する挟持部および前記有底筒状の本体に係合または嵌合する固定部より構成される仕切り部固定部材とを有しバージンフィルムが粘弾性仕切り部の伸縮変形を抑え切れ込みの開穴を防止し粉状化粧料が粘弾性仕切り部の外面側へ漏出しないようにするものも良い。
【００１７】
さらに軟弾性仕切り部または粘弾性仕切り部の外面外周側に挟持部当接突起が形成され、挟持部当接突起がバージンフィルムの位置決め可能にすると共に挟持部に当接し化粧料収納容器を密閉するものである。
【００１８】
また、挟持部が仕切り部固定部材の下面外周側に沿うように環状の仕切り部当接突起を形成し、仕切り部当接突起がバージンフィルムの位置決め可能にすると共に軟弾性仕切り部あるいは粘弾性仕切り部の外面に当接し化粧料収納容器を密閉するものも良い。
【００１９】
さらに軟弾性仕切り部、粘弾性仕切り部が化粧料収納室の外側部に嵌合する収納室嵌合部を有する有天筒状をなし、化粧料収納室の外側部よりずれないようにすると共に化粧料収納容器を密閉するものである。
【００２０】
また、バージンフィルムが仕切り部の全ての切れ込みを覆うように形成される被覆部と、被覆部の外周に帯状に突出するように形成されるつまみ部からなり、つまみ部を被覆部の表面中心側に折り曲げることにより仕切り部固定部材の開口部から除去できるようにするものである。
【００２１】
さらにバージンフィルムがパラフィン紙等の防湿紙で構成され、被覆部とつまみ部との境界で被覆部につまみ部の幅を延長するよう切れ目を形成し、つまみ部を上方に引くことによりバージンフィルムを容易に破け、除去できるようにすることも良い。
【００２２】
さらにバージンフィルムの被覆部が、仕切り部固定部材の開口部より小形状であることも良いものである。
【発明の効果】
【００２３】
本発明粉状化粧料容器にあっては次に記載する効果を奏する。
すなわち軟弾性仕切り部、粘弾性仕切り部は長さ数ミリメートル程度にカッティングされた複数の切れ込みが設け、パフ等のアプリケータで押圧される位置を中心に弾性的に伸長することにより切れ込みを開穴する。また仕切り部の押圧を解除すると開穴されていた切れ込みは弾性的に元の形状に復元閉穴され粉状化粧料の移動を阻止する。そのため軟弾性仕切り部、粘弾性仕切り部の内面から粉状化粧料が不用意に取り出されることはなくなり、外蓋の開閉操作等で飛散することもなくなる。
【００２４】
バージンフィルムはパラフィン紙やプラスチックフィルム等伸縮のないフィルムからなり未開封の粉状化粧料容器における軟弾性仕切り部または粘弾性仕切り部の外面に添設または粘着される。バージンフィルムの添設、粘着は軟弾性仕切り部または粘弾性仕切り部の伸びを抑え未開封の粉状化粧料容器に強い振動や衝撃が加わった場合でも切れ込みが不用意に開穴することを防止する。
【００２５】
仕切り部固定部材に形成される仕切り部押さえ突起、仕切り部の外面に形成さられる固定部材当接突起は、化粧料収納室を密閉し、粉状化粧料が化粧料収納室の上縁、化粧料収納室に嵌合する収納室嵌合部の内周、外周に沿った隙間から漏出することを防止する。
【００２６】
収納室嵌合部は化粧料収納室の外側部に嵌合することで軟弾性仕切り部または粘弾性仕切り部の化粧料収納室の外側部からのずれを抑える。仕切り部のずれ抑えは仕切り部上に添設されるバージンフィルムの皺、緩みの発生を防止する。また化粧料収納室の外側部に嵌合する収納室嵌合部は本体と仕切り部固定部材との間に軽く挟持される深さとすることでさらに化粧料収納容器を密閉する。
【００２７】
また仕切り部固定部材に形成される仕切り部押さえ突起、仕切り部の外面に形成さられる固定部材当接突起は、化粧料収納容器の組み立てに際しバージンフィルムの位置決めをする。
【００２８】
バージンフィルムの表面側に折り返されるつまみ部は仕切り部上面から指先で摘み引っ張れるようにしたもので、バージンフィルムを仕切り部の外面から容易に除去できるようにする。またバージンフィルムに形成された切れ目はパラフィン紙等の防湿紙で構成されるバージンフィルムを一定方向に破けるようにし、初使いに際し仕切り部外面より容易に除去できる効果がある。なおバージンフィルムが第１の仕切り部固定部材あるいは第２の仕切り部固定部材の挟持部にオーバラップされる寸法はフィルムの強度にも左右されるが１〜５ｍｍ程度で設定される。
【発明を実施するための最良の形態】
【００２９】
図１は本発明粉状化粧料容器主要部の組み立て断面図である。図において本体１は中央に粉状化粧料１００を収容できるよう上部を開口する有底状の化粧料収納室１１を有しており、上端に平滑な上縁１３を形成している。軟弾性仕切り部４または粘弾性仕切り部５、バージンフィルム７は化粧料収納室１１の開口側を形成する上縁１３を封口する。化粧料収納室１１の底部２１の中央には化粧料充填口１７が設けられ、化粧料収納室１１の開口側を閉口した状態で底部２１側から粉状化粧料１００を充填できるようにしている。
封止片１５は粉状化粧料１００を収納する化粧料収納室１１を封止する。
【００３０】
図２は本発明粉状化粧料容器の組み立て説明図である。本体１を構成する化粧料収納室１１の上縁１３には軟弾性仕切り部４、粘弾性仕切り部５の内面５５が密着され化粧料収納室１１を閉口する。図において軟弾性仕切り部４、粘弾性仕切り部５はシリコンゴム等の軟弾性材料で構成され、天井面を閉じた有天筒状をなし、図３に例示すように軟弾性仕切り部４、粘弾性仕切り部５の中央に向かう伸長方向に交差する複数の切れ込み５１が形成される。
【００３１】
切れ込み５１は軟弾性仕切り部４、粘弾性仕切り部５の外面５３と内面５５との間を通ずるスリットで、軟弾性仕切り部４、粘弾性仕切り部５の中心近傍が押圧伸長の大きさに応じ開穴される。切れ込み５１の開穴は粉状化粧料１００が軟弾性仕切り部４、粘弾性仕切り部５の外面５３と内面５５との間で自由な移動と共に外面５３への取り出しを可能にする。尚、切れ込み５１は図３に示すような同心円に配置されることに限定されるものではなく軟弾性仕切り部４、粘弾性仕切り部５の中心から渦巻状に配置することは勿論、切れ込み５１を星形状に配置するなどの手段も良い。さらに切れ込みの角度を軟弾性仕切り部４の伸長方向に交差する範囲で任意に選択する手段を採用することも良い。
【００３２】
また軟弾性仕切り部４または粘弾性仕切り部５の側面は垂下して筒状の収納室嵌合部５７が形成される。収納室嵌合部５７は化粧料収納室１１の外側部１９に嵌合し位置決めされる。ここに嵌合とは螺着、嵌着、咬合等が含まれる。他方仕切り部５１にかかるアプリケータ２００の押圧力を解除すると仕切り部５１は復元し切れ込み５１は閉穴する。従って切れ込み５１は、非使用若しくは携帯時など、アプリケータ２００から押圧力が加わらない状態においては完全に閉穴され、化粧料収容室１１と第１の仕切り部固定部材上面側とを隔離する。
【００３３】
また固定部材当接突起５９は軟弾性仕切り部４、粘弾性仕切り部５の外面５３で第１の仕切り部固定部材９の挟持部９３直下に環状に設けられ、バージンフィルム７の位置決めと共に挟持部９３に密着して化粧料収納室１１と第１の仕切り部固定部材との間を密封する。
【００３４】
バージンフィルム７はパラフィン紙やプラスチックフィルム等伸縮のないフィルムで形成され、平面説明図である図４のように被覆部７１とつまみ部７３を構成する。被覆部７１は環状の固定部材当接突起５９内に収まる大きさに形成され軟弾性仕切り部４、粘弾性仕切り部５の外面５３上に気密性を持たせるよう被覆し、化粧料収納室１１内の粉状化粧料１００は勿論、吸湿による化粧料の固形化を妨げる。また、つまみ部７３は被覆部７１の外周に帯が突出するように形成され、さらに図２に示されるように被覆部７１の表面７５側で中央に向けて折り曲げられる。なおバージンフィルム７がパラフィン紙のように容易に破ける素材で形成される場合、帯状のつまみ部７３を被覆部７１内に延長するように切れ目７９を形成し破け易い方向を形作ると良い。
【００３５】
第１の仕切り部固定部材９は図２に示されるとおり上部中央に開口部９１、開口部９１に隣接する外周下面に挟持部９３、側部に構成される固定部９５より構成される。開口部９１は軟弾性仕切り部４、粘弾性仕切り部５の外面５３を押圧し切れ込み５１を開穴すると共に粉状化粧料１００を取り出せるよう開口する。また挟持部９３は軟弾性仕切り部４または粘弾性仕切り部５、および外面５３上に添設されるバージンフィルム７を化粧料収納室１１の上縁１３との間で挟持する。また固定部９５は第１の仕切り部固定部材９と本体１とを一体に固定するもので、図１に示すように本体１の外周に螺着、嵌着等により固着する。
【００３６】
以上の構成において、バージンフィルム７は表面７５側からの人為的な押圧力あるいは振動等に起因する化粧料収納室１１内の粉状化粧料１００の暴れで仕切り部５は内面５５側から押圧力を受ける。伸縮性のないパラフィン紙、プラスチックフィルム等をバージンフィルム７に使用し仕切り部５の外面５３に添設することで仕切り部５の強度はバージンフィルム７に間接的に補強され伸縮は小さくなる。したがって仕切り部５に形成された切り込み５１は搬送時の振動程度では閉穴状態を維持される。そのためバージンフィルム７と仕切り部５の間に粉状化粧料１００が溜まる原因がなくなり初使いでバージンフィルムを除去する際に粉状化粧料が飛散し周辺を汚してしまうといった不具合がなくなる。
【００３７】
またパフ等のアプリケータ２００をバージンフィルム７上に載置する場合も、軟弾性仕切り部４、粘弾性仕切り部５はバージンフィルム７を介して伸縮されることから仕切り部５の内面５５側への伸びは防止される。そのため仕切り部５に形成された切れ込み５１は開穴されず、化粧料収納室１１内の粉状化粧料１００は外面５３の側への漏出はない。したがって軟弾性仕切り部４、粘弾性仕切り部５とバージンフィルム７の間に粉状化粧料１００が入り込まずバージンフィルム７の開封時に粉状化粧料１００が飛散することはない。
【００３８】
なお、粘弾性仕切り部５を使用する場合、粘弾性仕切り部５はバージンフィルム７が外面５３に粘着し直接補強される。そのため粘弾性仕切り部５は伸縮性のないバージンフィルム７と一体になって伸縮されることから両者の間に隙間は生じない。また粉状化粧料容器に外部から押圧力や衝撃が加わる場合は勿論、粉状化粧料容器の振動によって粘弾性仕切り部５が振動する場合でも粘弾性仕切り部５とバージンフィルム７との間に隙間は生じない。さらにバージンフィルム７を粘着する粘弾性仕切り部５の伸びは単独の場合に比べ小さくなり切れ込み５１は開穴しない。そのため仕切り部５とバージンフィルム７との間に粉状化粧料１００が溜まることはなく、バージンフィルム７の開封時に粉状化粧料１００が飛散することはなくなる。
【００３９】
また粘弾性仕切り部５を使用する場合、バージンフィルム７を粘弾性仕切り部５の外面５３に粘着し貼り付けることができる。しかし、バージンフィルム７は粘弾性仕切り部５に粘着固定されることからバージンフィルム７を第１の仕切り部固定部材９との間で挟持する必用はない。したがって被覆部７１を第１の仕切り部固定部材９の開口部９１内に収まる形状にすることもできる。この場合第１の仕切り部固定部材９あるいは第２の仕切り部固定部材１０を本体１に装着後にバージンフィルム７を装着することができる上、バージンフィルム７の装着後であっても粉状化粧料容器を解体せずに変更することを可能にする。
【００４０】
図５は本発明にかかる断面説明図で図２に示した第１の仕切り部固定部材９の挟持部９３に対し仕切り部当接突起９７を設けたものである。第２の仕切り部固定部材１０は図示されるように挟持部９３に設けた仕切り部押さえ突起９７を収納室嵌合部５７の直上に位置するように設けているが、形状等の制約により僅か内側で化粧料収容室１１の上縁１３直上にかかることを拒むものではない。挟持部９３に対し仕切り部当接突起９７を設ける場合バージンフィルム７は不安定な固定にされがちであるが挟持部９３に軽く接着することにより組み立て作業をし易くできる。また第２の仕切り部固定部材１０の上下を反転しバージンフィルム７を内面中央に配設することでも組み立て作業をし易くできる。したがってバージンフィルム７を第２の仕切り部固定部材１０側に設ける場合も軟弾性仕切り部４、粘弾性仕切り部５の外面５３上に設ける場合に比し組み立て作業に大きな支障は生じない。以下仕切り部押さえ突起９７の作用効果については挟持部当接突起５９の説明と重複することから省略する。組み立て作業
【００４１】
図６は本発明粉状化粧料容器の使用説明図でアプリケータ２００を仕切り部５の上方から押圧した状態を示す。図に示されるようにバージンフィルム７を除去された粉状化粧料容器の軟弾性仕切り部４、粘弾性仕切り部５は、アプリケータ２００の押圧により下方に湾曲し伸長される。軟弾性仕切り部４、粘弾性仕切り部５には伸長方向に交差するよう形成される複数の切れ込み５１が設けられ、大きな伸長で開穴され粉状化粧料１００を外面５３側に取り出す。他方、化粧時粉状化粧料容器を軽く振って攪拌する程度では粉状化粧料１００が仕切り部５に加える押圧力は小さく切れ込み５１は開穴されない。そのため粉状化粧料１００は仕切り部５の外面５３側に漏出することはなくなる。
【００４２】
以上説明のとおり、本発明粉状化粧料容器にあっては発明の効果の欄に記載する効果を有する。なお本発明について図面に示した特定の実施の形態をもって説明してきたが、本発明は図面に示したこれらの実施の形態に限定されるものではなく、各種キャップ、筐体の装着やパフなどのアプリケータなどの収納を妨げるものではない。また本発明では固定部９５のない略平面状の軟弾性仕切り部４あるいは粘弾性仕切り部５でも上縁１３の外周側に係合する僅かな突起を形成する形状も広義には有天筒状である。そして同形状でも仕切り部材を化粧料収納室の外側部よりずれないようにできることは言うまでもないことである。
【図面の簡単な説明】
【００４３】
【図１】本発明粉状化粧料容器主要部の組み立て断面図である。
【図２】本発明粉状化粧料容器の組み立て説明図である。
【図３】仕切り部の切れ込み説明図である。
【図４】バージンフィルムの平面説明図である。
【図５】本発明にかかる第２の仕切り部固定部材の断面説明図である。
【図６】本発明粉状化粧料容器の使用説明図である。
【符号の説明】
【００４４】
１・・・・本体
４・・・・軟弾性仕切り部
５・・・・粘弾性仕切り部
７・・・・バージンフィルム
９・・・・第１の仕切り部固定部材
１０・・・第２の仕切り部固定部材
１１・・・化粧料収容室
１３・・・上縁
１５・・・封止片
１７・・・化粧料充填口
１９・・・外側部
２１・・・底部
５１・・・切れ込み
５３・・・外面
５５・・・内面
５７・・・収納室嵌合部
５９・・・挟持部当接突起
７１・・・被覆部
７３・・・つまみ部
７５・・・表面
７７・・・裏面
７９・・・切れ目
９１・・・開口部
９３・・・挟持部
９５・・・固定部
９７・・・仕切り部当接突起
１００・・粉状化粧料
２００・・アプリケータ
【図１】
2008272304.tif 000003
【図２】
2008272304.tif 000004
【図３】
2008272304.tif 000005
【図４】
2008272304.tif 000006
【図５】
2008272304.tif 000007
【図６】
2008272304.tif 000008